(57)【要約】【課題】互いに異なる内容物が貯蔵される第１及び第２容器を互に組付ける際に、内容物が外部の異物によって汚染されたり、内容物が外部にあふれて汚れたりするのを防止する。【解決手段】本発明は、(1)内部に内容物貯蔵空間と吐出手段収容空間が分離されて形成された第１容器と、(2)前記第１容器の下部に組付けられる第２容器と、(3)前記第１容器に貯蔵された内容物及び第２容器に貯蔵された内容物を吐出させる第１及び第２吐出手段と、(4)前記第１及び第２吐出手段を共に作動させるための、第１及び第２吐出手段にそれぞれ連結される第１及び第２吐出流路並びに第１及び第２吐出口が形成された押しボタンとを含み、前記の第１容器及び第２容器にそれぞれ連結穴及び筒状の入口部が形成されており、これらによって互いに組付けられる際には、互に分離されていた第２吐出手段の上下の構成部分が連結部材を介して連結されることを特徴とする。【選択図】図３
2020163146.tif 000002
【特許請求の範囲】
【請求項１】
内部に内容物貯蔵空間と吐出手段収容空間とが分離されて形成された第１容器と、
前記第１容器の下部に組付けられる第２容器と、
前記第１容器に貯蔵された内容物と第２容器に貯蔵された内容物を吐出させる第１及び第２吐出手段と、
前記第１及び第２吐出手段を共に作動させるための、第１及び第２吐出手段にそれぞれ連結される第１及び第２吐出流路並びに第１及び第２吐出口が形成された押しボタンとを含み、
前記の第１容器及び第２容器にそれぞれ連結穴及び入口部が形成されており、これらによって互いに組付けられる際に、互に分離されていた第２吐出手段の２つの構成部分が連結部材を介して連結されることを特徴とする、
異種内容物混合容器。
【請求項２】
前記第１容器は、第１上部容器と第１下部容器とから形成され、互いに組付けられていることを特徴とする、
請求項１に記載の異種内容物混合容器。
【請求項３】
前記第１上部容器には、支持板が形成され、これに、第１吐出手段、及び、第２吐出手段の一部が取り付けられることを特徴とする、
請求項２に記載の異種内容物混合容器。
【請求項４】
前記の第１上部容器と第１下部容器との間には、密閉部材が備えられて、第１下部容器の開放された部分を塞いでおり、前記密閉部材を第１吐出手段及び第２吐出手段が貫通していることを特徴とする、
請求項２に記載の異種内容物混合容器。
【請求項５】
前記の第１容器と第２容器は、互いにネジ結合されることを特徴とする、
請求項１に記載の異種内容物混合容器。
【請求項６】
前記第１及び第２容器の連結穴及び入口部は、第１及び第２容器の中央からいずれか一方に偏って位置することを特徴とする、
請求項１に記載の異種内容物混合容器。
【請求項７】
前記連結部材は、第２容器の前記入口部に備えられるのであり、
前記入口部の開口部に向かって突出形成されて第１及び第２容器を互に組付ける際に第２吐出手段の第２ハウジングと連結される上部連結部と、
第２容器の内側へと向かって突出形成されて第２吐出手段の第２吸入管と連結される下部連結部と、
前記入口部に組付けられる組付け部とからなることを特徴とする、
請求項１に記載の異種内容物混合容器。
【請求項８】
前記連結部材には、上部連結部及び下部連結部の外側に、少なくとも一つ以上の空気流通孔が形成されることを特徴とする、
請求項７に記載の異種内容物混合容器。
【請求項９】
前記の第１吐出手段及び第２吐出手段は、ポンピングによって内容物を外部に吐出させるポンプであることを特徴とする、
請求項１に記載の異種内容物混合容器。
【請求項１０】
前記第２吐出手段の第２ハウジングは、第１容器に取り付けられており、第２吐出手段の第２吸入管は、連結部材に取り付けられて第２容器の内部に挿入されており、第１容器と第２容器とを互に組付ける際に、前記第２吐出手段の第２ハウジングと第２吸入管とが、前記連結部材によって自動的に連結されることを特徴とする、
請求項１に記載の異種内容物混合容器。
【発明の詳細な説明】
【技術分野】
【０００１】
本発明は、異種内容物混合容器に関し、さらに詳細には、互いに異なる内容物が貯蔵された第１及び第２容器が上・下に結合され、前記第１及び第２容器の結合と同時に分離されていた吐出手段が連結部材を介して連結されることによって、第１及び第２容器の結合が簡便であることはもとより、結合過程で内容物が外部の異物によって汚染されたり、外部にあふれることを防止する異種内容物混合容器に関する。
【背景技術】
【０００２】
一般的に、容器に収容される化粧品や医薬品のうち、効能や効果を倍加させるために互いに異なる二つ以上の内容物を混ぜて使用する場合が多々ある。
【０００３】
しかし、上記のように混ぜて使用される内容物を初めから混ぜて一つの容器に共に収容した後、流通または保管する場合、容器内部で化学反応が起こり、内容物が凝固または沈殿しながら排出不良が発生したり、内容物が変色または変質する問題が発生するようになる。
【０００４】
そのため、従来には互いに異なる成分の内容物をそれぞれ他の容器に保管してから使用時に使用者が内容物をそれぞれ排出させて直接混ぜて使用したり、互いに異なる内容物をそれぞれ分離された他の容器に保管して使用時に二つの容器の入口をそれぞれ開放し、別途の容器に混ぜて使用する方法が提示されたが、かかる方法は別途の容器に貯蔵された内容物を使用者が直接混ぜて使用しなければならない煩雑さと紛失の危険性及び携帯性に劣るという問題点があった。
【０００５】
したがって、最近は一つの容器に異種内容物を隔離貯蔵して保管した後、必要時に使用者の操作によって混ぜて使用することができるようにした異液物質混合容器が開発された。
【０００６】
上記のような従来技術として、韓国登録特許第１０−１９２３３０６号の異種物質混合容器が開示されたが、前記従来技術は、外容器内に内容器を挿着し、この内容器にそれぞれポンプセットのうち一つを装着しておき、この外容器と内容器に互いに異なる化粧品内容物を貯蔵しておき、一回のポンピングで異なる種類の化粧品内容物を同時に吐出して混ぜて使用することができるようにしたものである。
【０００７】
しかし、前記従来技術は、内容器が外容器に貯蔵された化粧品内容物と共に収容される構造であるため、外容器に内容器を組み立てまたは入れ替えする過程で上記内容器の外周面についている外部異物が外容器内部に入り、外容器内に貯蔵された化粧品内容物を汚染する問題点があった。
【０００８】
また、前記従来技術は、互いに異なる内容物が貯蔵された外容器と内容器が別途で包装されてから、購入者によって組み立てられて使用される場合、開放された外容器の入口部に内容器全体が挿入されながら前記内容器の体積または急な挿入によって外容器に貯蔵された内容物が外にあふれて周辺が汚染し、組み立てが不便な問題点があった。
【先行技術文献】
【特許文献】
【０００９】
【特許文献１】韓国登録実用新案第２０−０３９００９５号（２００５．０７．１８．公告）、“パウダー混合エッセンス化粧品容器”
【特許文献２】韓国登録特許第１０−１９２３３０６号（２０１８．１１．２８．公告）、“異種物質混合容器”
【発明の概要】
【発明が解決しようとする課題】
【００１０】
本発明は、互いに異なる内容物が貯蔵される第１及び第２容器をそれぞれ第１及び第２吐出手段と連結して押しボタンの押下作動によって異種内容物を一回で外部に吐出させ、前記第１及び第２容器が上、下にスクリュー結合され、前記第１及び第２容器の結合と同時に分離されていた第２吐出手段が連結部材を介して連結されることによって、第１及び第２容器の結合が簡便で、結合過程で内容物が外部異物によって汚染されたり、内容物が外部にあふれて汚れることを防止することができるようにした異種内容物混合容器を提供することに目的がある。
【課題を解決するための手段】
【００１１】
本発明は、内部に内容物貯蔵空間と吐出手段収容空間が分離されて形成された第１容器と、前記第１容器の下部に結合される第２容器と、前記第１容器に貯蔵された内容物と第２容器に貯蔵された内容物を吐出させる第１及び第２吐出手段、及び前記第１及び第２吐出手段を共に作動させ、第１及び第２吐出手段とそれぞれ連結される第１及び第２吐出流路と第１及び第２吐出口が形成された押しボタンを含み、前記第１容器と第２容器にそれぞれ連結穴と入口部が形成されて互いに結合されると同時に、分離されていた第２吐出手段が連結部材を介して連結されることを特徴とする異種内容物混合容器を提供する。
【００１２】
また、前記第１容器は、第１上部容器と第１下部容器からなり互いに結合される。
【００１３】
また、前記第１上部容器には、支持板が形成されて第１吐出手段及び第２吐出手段の一部が設置される。
【００１４】
また、前記第１上部容器と第１下部容器との間には、密閉部材が形成されて第１下部容器の開放された部分を塞ぎ、前記密閉部材を第１吐出手段と第２吐出手段が貫通する。
【００１５】
また、前記第１容器と第２容器は、互いにスクリュー結合（ねじ結合）されることが好ましい。
【００１６】
また、前記第１及び第２容器の連結穴と入口部は、第１及び第２容器の中央からいずれか一方に偏って位置する。
【００１７】
また、前記連結部材は、第２容器の入口部に形成され、入口部の開放された部分に向かって突出形成されて第１及び第２容器の結合時に第２吐出手段の第２ハウジングと連結される上部連結部と、第２容器の内側に向かって突出形成されて第２吐出手段の第２吸入管と連結される下部連結部及び入口部に結合される結合部からなる。
【００１８】
また、前記連結部材の上部連結部と下部連結部の外側には、少なくとも一つ以上の空気流通孔が形成される。
【００１９】
また、前記第１吐出手段と第２吐出手段は、ポンピングによって内容物を外部に吐出させるポンプであることが好ましい。
【００２０】
また、前記第２吐出手段の第２ハウジングは、第１容器に設置され、第２吐出手段の第２吸入管は、連結部材に設置されて第２容器の内部に挿入され、第１容器と第２容器の結合時に前記第２吐出手段の第２ハウジングと第２吸入管が連結部材によって自動で連結される。
【発明の効果】
【００２１】
本発明の実施例によれば、互いに異なる内容物が貯蔵される第１及び第２容器をそれぞれ第１及び第２吐出手段と連結して押しボタンの押下作動によって異種内容物を一回で外部に吐出させ、前記第１及び第２容器が上・下にスクリュー結合され、前記第１及び第２容器の結合と同時に分離されていた第２吐出手段が連結部材を介して連結されることによって、第１及び第２容器の相互の組付けが簡便で、組付けの過程で内容物が外部の異物によって汚染されたり、内容物が外部にあふれて汚れることを防止する効果がある。
【図面の簡単な説明】
【００２２】
【図１】本発明の実施例に係る混合容器の斜視図である。
【図２】本発明の実施例に係る混合容器の分解斜視図である。
【図３】本発明の実施例に係る混合容器の断面図である。
【図４】本発明の実施例によって第１容器に第２容器が結合される前の形態を例示した断面図である。
【図５】本発明の実施例によって第１容器と第２容器が結合される形態を例示した断面図である。
【図６】本発明の実施例に係る混合容器の第１容器から容器カバーが分離される形態を例示した断面図である。
【図７】本発明の実施例に係る混合容器の押しボタンが押されて異種の内容物を同時に吐出させる形態を示した断面図である。
【図８】本発明の実施例に係る混合容器の押しボタンが元の位置に復元しながら第１、２吐出手段内部に内容物が流入する形態を示した断面図である。
【発明を実施するための形態】
【００２３】
以下の本発明に関する詳細な説明は、本発明が実施され得る実施例であり、当該実施例の例示として図示された添付の図面を参照する。これら実施例は、当業者が本発明を実施するに足りるよう詳細に説明される。本発明の多様な実施例は、互いに異なるが、相互排他的である必要はないことを理解されたい。例えば、ここに記載されている特定の形状、構造及び特性は、一実施例に関連して本発明の思想及び範囲を逸脱せずに他の実施例で具現され得る。また、それぞれの記載された実施例内の個別の構成要素の位置または配置は、本発明の思想及び範囲を逸脱せずに変更され得ることを理解されたい。
【００２４】
したがって、後述する詳細な説明は、限定的な意味をもって採用しようとするものではなく、本発明の範囲は、適切に説明されるならその請求項が主張することと均等なすべての範囲と、併せて添付された請求項によってのみ限定される。図面で類似する参照符号は、いくつかの側面において同一か類似する機能を指称する。
【００２５】
本発明で使用される用語は、本発明での機能を考慮しながら可能な現在広く使用される一般的な用語を選択したが、これは当分野に従事する技術者の意図または判例、新たな技術の出現などによって変わる場合がある。また、特定の場合は出願人が任意に選定した用語もあり、この場合は該当する発明の説明部分において詳細にその意味を記載する。したがって、本発明で使用される用語は単なる用語の名称ではなく、その用語が持つ意味と本発明の全般にわたる内容を基に定義されなければならない。
【００２６】
本発明で、ある部分がある構成要素を含むとする場合、これは特に反する記載がない限り、他の構成要素を除外するものではなく、他の構成要素をさらに含み得ることを意味する。
【００２７】
図１ないし図８を参照して本発明の一実施例に係る異種内容物混合容器について説明する。
【００２８】
図１は本発明の実施例に係る混合容器の斜視図であり、図２は本発明の実施例に係る混合容器の分解斜視図であり、図３は本発明の実施例に係る混合容器の縦断面図である。
【００２９】
図示されたように、本発明の一実施例に係る混合容器は、第１容器１０と、第２容器２０と、第１吐出手段３０と、第２吐出手段４０と、押しボタン５０とを含んで構成され得る。
【００３０】
前記第１容器１０は、その内部に、液状またはゲル状の第１内容物Ｃ１が収容されるのであり、硬質の円筒の形態に形成される。もちろん、前記第１容器１０は、硬質の円筒の形態に限定されるものではなく、多様な形態または材質で形成され得る。
【００３１】
前記第１容器１０は、図２と図３に示すように、第１上部容器１２と第１下部容器１４からなり前記第１下部容器１４が第１上部容器１２の下部内側に挿入されながら互いに結合され得る。本発明の一実施例に係る混合容器の図面では、前記第１上部容器１２と第１下部容器１４がネジ結合されるものを示したが、これに限定されるものではなく、アンダーカット部分による掛け止めや嵌め合わせによる結合、または、突起と穴との結合または押し込み嵌め合わせ（強制嵌合）による結合など、多様な結合方式が挙げられる。
【００３２】
また、前記第１上部容器１２と第１下部容器１４との間には、弾性材質の第１密閉リング１７ａが形成されて、前記第１上部容器１２と第１下部容器１４との間の密閉力をより向上させることができる。
【００３３】
前記第１上部容器１２の内側には、支持板１３が形成され得るが、前記支持板１３には、第１吐出手段設置孔１３ａが形成されて第１吐出手段３０が取り付けられており、また、第２吐出手段設置孔１３ｂが形成されて第２吐出手段４０の全体の構成のうちの一部が取り付けられるのであり得る。
【００３４】
そして、前記支持板１３の上面からは、第１ないし第３垂直ガイドバー１５ａ、１５ｂ、１５ｃが垂直上方へと延長形成されて、押しボタン５０が上方及び下方へと移動するのを案内することができる。図２に示すように、前記第１垂直ガイドバー１５ａは、上から見た時に十字状である支柱（形材）として形成され、第２、３垂直ガイドバー１５ｂ、１５ｃは、上から見た時に少なくともいずれか一方へと折り曲げられて内側に挿入空間１５ｄを有する、ひげ（セリフ）付きＬ字状ないしコの字状の支柱（形材）として形成されることが好ましい。
【００３５】
前記第１下部容器１４の内部には、第２吐出手段４０の一部分が収容される吐出手段収容空間１４ａが形成されており、前記吐出手段収容空間１４ａの外側には、第１内容物Ｃ１が貯蔵されるとともに、第１吐出手段３０の一部分が収容される内容物貯蔵空間１４ｂが形成されるのであり得る。前記吐出手段収容空間１４ａと、内容物貯蔵空間１４ｂとは、区画壁１４ｃによって区画されて分離され得るが、前記区画壁１４ｃは、円筒形であることが好ましい。
【００３６】
そして、前記第１下部容器１４の下部には、第１容器１０の底壁が、その内側へとバーリング状に陥没した形の連結穴１６が形成され得る。すなわち、前記第１容器１０と第２容器２０とを互いに組付ける際には、前記連結穴１６が第２容器２０の入口部２２の外周面を覆うとともに、第２吐出手段４０における第２ハウジング４１と第２吸入管４３とが、連結部材７０によって、自動で、すなわち別途の操作を行うことなく連結される。言い換えれば、前記第２吐出手段４０の全体の構成を、第１容器１０と第２容器２０とにそれぞれ分けて取り付けて置いてから、第１容器１０と第２容器２０とを互いに組付ける際には、互に分離されていた第２吐出手段４０の上下の構成が、連結部材７０によって連結されるようにする。
【００３７】
前記第１容器１０の連結穴１６は、第１容器１０の中央から、いずれか一方に偏って形成されており、第２容器２０の入口部２２を覆うようにして、スクリュー結合され得る。もちろん、前記第１容器１０の連結穴１６と、第２容器２０の入口部２２とは、スクリュー結合以外にも、多様な方式で結合されうる。
【００３８】
また、図２に示すように、前記第１上部容器１２と第１下部容器１４との間には、密閉部材１８がさらに備えられ得る。前記密閉部材１８は、少なくとも一部分が、第１下部容器１４の上部の開放された部分に挿入されるようにして前記第１下部容器１４の上部を塞ぐのであり、前記密閉部材１８には、第１吐出手段３０及び第２吐出手段４０が貫通する。図示の例で、密閉部材１８は、ディッシュ状ないしカップ状であり、中央に、第１吐出手段３０及び第２吐出手段４０を保持するための隆起部が形成されており、この隆起部と、周壁の内面との間には、放射状に垂直板状のリブが備えられている。隆起部中には、第１吐出手段３０が差し込まれる筒状部が備えられており、また、隆起部の天井壁を第１吐出手段３０及び第２吐出手段４０が貫通している。
【００３９】
ここで、前記密閉部材１８におけると第１上部容器１２との間には、弾性材質の密閉板１９がさらに備えられており、この密閉板１９を通じて、吐出手段収容空間１４ａ及び内容物貯蔵空間１４ｂの密閉力を維持することができる。そして、前記密閉板１９には、密閉部材１８と同様に、第１吐出手段３０と第２吐出手段４０が貫通する。図示の具体例において、これら吐出手段の第１及び第２ハウジング３１、４１には、上端の近傍に、フランジ部が形成されており、このフランジ部が、その下方の密閉板１９とともに、上下から、支持板１３と、密閉部材１８の隆起部、及び、区画壁１４ｃの上端との間に挟み込まれている。
【００４０】
前記連結部材７０は、図３〜４に示すように、少なくとも一部分が、第２容器２０の筒状の入口部２２に嵌め込まれた状態で固定される。前記連結部材７０は、(1)リング板状の部分７１と、(2)この内縁から筒状の入口部２２の開口部へと向かって突出形成されて、第１容器１０と第２容器２０とを互いに組付ける際に、第２吐出手段４０の第２ハウジング４１の下方延長部４１ｂに嵌め込まれることで第２ハウジング４１と連結される内筒状の上部連結部７２と、(3)リング板状の部分７１の内縁から第２容器２０の内側に向かって突出形成されて、第２吐出手段４０の第２吸入管４３と連結される内筒状の下部連結部７４と、(4)リング板状の部分７１の外縁から入口部２２の開口部へと向かって突出形成されるとともに、筒状の入口部２２に嵌め込まれて組付けられる外筒状の結合部７６とから構成され得る。ここで、前記連結部材７０の外筒状の結合部７６の上端には、外向きフランジ状の抜け落ち防止掛け止め部７６ａが形成されて、筒状の入口部２２の上端に据え付けられることによって、前記連結部材７０が第２容器２０の内部へと抜け落ちないようにすることができる。
【００４１】
一方、前記連結部材７０の上部連結部７２と下部連結部７４とは、互に連続する一つの管状に形成されているが、この外側にあるリング板状の部分７１には、少なくとも一つ以上の空気流通孔７８が形成され得る。前記空気流通孔７８は、第２容器２０の内部に第２内容物Ｃ２を充填するとともに、一方の側に第２吸入管４３が組付けられている連結部材７０を前記第２容器２０に挿入する際に、第２容器２０の内部にある空気を外部に送出する通路となるだけでなく、使用の際に、第２内容物Ｃ２が用いられてなくなった分だけ外部空気を第２容器２０内に流入させる通路となる。
【００４２】
そして、前記連結部材７０の外筒状の結合部７６の上端と、第１下部容器１４の筒状の区画壁１４ｃの段部１４ｄとの間には、弾性材質の第２密閉リング１７ｂが備えられ得る。
【００４３】
ここで、前記の第１及び第２密閉リング１７ａ、１７ｂと密閉板１９は、ゴムや樹脂系エラストマーといった軟質の材質で形成され、ウレタンゴム（ｕｒｅｔｈａｎｅ  ｒｕｂｂｅｒ）、天然ゴム（ｎａｔｕｒａｌ  ｒｕｂｂｅｒ）、各種の熱硬化性または熱可塑性のエラストマー（ｅｌａｓｔｏｍｅｒ）、ＮＢＲ（ｎｉｔｒｉｌｅ−ｂｕｔａｄｉｅｎｅ  ｒｕｂｂｅｒ）、シリコーン（ｓｉｌｉｃｏｎｅ）のうちのいずれか一つ以上の材質、または、弾性を有するように共重合などによる変性や発泡を行ったポリプロピレン（ｐｏｌｙｐｒｏｐｙｌｅｎｅ）、ポリエチレン（ｐｏｌｙｅｔｈｙｌｅｎｅ）、ＡＢＳ（Ａｃｒｙｌｏｎｉｔｒｉｌｅ  Ｂｕｔａｄｉｅｎｅ  Ｓｔｙｒｅｎｅ）、並びに、各種の熱可塑性エラストマー（ＴＰＥ；Ｔｈｅｒｍｏ  Ｐｌａｓｔｉｃ  Ｅｌａｓｔｏｍｅｒ）のうちのいずれか一つ以上の材質で形成されることが好ましい。もちろん、前記第１及び第２密閉リング１７ａ、１７ｂと密閉板１９は、上述した材質に限定されるものではなく、一定の弾性を有する範囲内にて多様な材質で形成され得る。なお、第１及び第２密閉リング１７ａ、１７ｂ及び密閉板１９を除く他の部材は、例えば、ポリオレフィンなどのプラスチック、または、金属などから形成することができる。
【００４４】
前記第２容器２０は、第１容器１０の下部に組付けられるのであり、混合容器の外観の連続性のために第１容器１０に対応する円筒形状に形成され得る。
【００４５】
前記第２容器２０の内部には、第２内容物Ｃ２が貯蔵され得るが、前記第２内容物Ｃ２は、第１内容物Ｃ１と互いに異なる内容物であって、第１内容物Ｃ１と混ぜて使用された際に、効能や効果を倍加させるようになる内容物であることが好ましい。
【００４６】
前記第２容器２０の一方の側（上側）には、筒状の入口部２２が形成されるが、前記入口部２２は、第２内容物Ｃ２が充填される際の充填用の入口の役割をするとともに、第１容器１０と組付けられるのである。前記入口部２２の外周面には、ネジ山が形成され、第１容器１０の連結穴１６に形成されたネジ山にネジ結合され得る。そして、前記第２容器２０が第１容器１０に組付けられる前には、前記第２容器２０と、第１容器１０とが、それぞれ別途に個別包装されて流通・販売されるのであるが、この際には、前記第２容器２０の入口部２２に、臨時カバー２３が組付けられ得る。
【００４７】
また、筒状の前記入口部２２の内側には、二重筒状の連結部材７０が挿入されて固定されており、前記連結部材７０の下部には、第２吐出手段４０の第２吸入管４３が組付けられて、第２容器２０の内部に位置している。
【００４８】
上述したように、前記第１容器１０と第２容器２０とが、それぞれ別途に包装されて流通販売されるのであり、使用の際には、前記第１容器１０の連結穴１６に、第２容器２０の筒状の入口部２２を挿入して組付けることとなる。このように組付けられる際、前記第２容器２０に組付けられている連結部材７０の上部連結部７２が、第２吐出手段４０の筒状の第２ハウジング４１の下部に挿入されることで、第１容器１０と第２容器２０とに分けて設置されていた、第２吐出手段４０の上下の部分が互いに連結されるのであり、また、この際に、前記第１容器１０の連結穴１６が、第２容器２０における筒状の入口部２２の外周面を包み込みつつスクリュー結合される。
【００４９】
したがって、前記第１容器１０と第２容器２０との組付けがより簡便に行えるようになり、第２容器２０の組付けの過程で、第１内容物Ｃ１が外部の異物によって汚染されることを防止するだけでなく、前記第１容器と第２容器２０とを互に組付ける前にも後にも第２容器２０の密閉を安定的に維持することができるのである。
【００５０】
本発明の一実施例に係る混合容器の図面では、第１容器１０と第２容器２０とがネジ結合されるものを示したが、これに限定されるものではなく、アンダーカットを有する突起と孔または溝とを組み合わせることによる結合、または、その他の突起と穴の結合、特には穴の内径より少し径の大きい突起を押し込むことによる強制嵌合結合など多様な結合方式が挙げられる。
【００５１】
前記第１吐出手段３０は、少なくとも一部分が第１容器１０の内容物貯蔵空間１４ｂに挿入された状態にあり、第１容器１０の第１吐出手段設置孔１３ａに取り付けられ、前記第１容器１０に貯蔵された第１内容物Ｃ１を外部に吐出させる。
【００５２】
ここで、前記第１吐出手段３０は、ポンピング作用によって定量的に内容物を外部に吐出させるポンプであることが好ましい。
【００５３】
前記第１吐出手段３０は、図３に示すように、一方の側（下側）に第１内容物吸入口３１ａが形成された筒状の第１ハウジング３１と、前記第１ハウジング３１の第１内容物吸入口３１ａを開閉するボール状の第１吸入バルブ３２と、前記第１ハウジング３１の下部に組付けられて第１内容物Ｃ１を第１ハウジング３１内へと導いて吸入されるようにする第１吸入管３３と、前記第１ハウジング３１の上部に固定されて組付けられる第１ハウジングキャップ３４と、前記第１ハウジング３１の内側に備えられてその中で上下に垂直移動される第１ピストン支持棒３５と、前記第１ピストン支持棒３５の下部の外周面に嵌め付けられるとともに第１ハウジング３１の内周面に密着される第１ピストン３６と、前記第１ピストン支持棒３５の上部に組付けられる筒状の第１ステム３７と、前記第１ステム３７の外周面に沿って配置されて第１ステム３７を第１上部容器１２の支持板１３の側から弾力支持するコイル状の第１バネ３８とから構成され得る。
【００５４】
前記第２吐出手段４０は、全体の構成のうちの一部の構成が、第１容器１０の吐出手段収容空間１４ａに挿入された状態にて第１容器１０における第２吐出手段設置孔１３ｂの箇所に取り付けられており、残りの構成が第２容器２０の内側に設置される。言い換えれば、前記第２吐出手段４０の構成について、第１容器１０と第２容器２０とに上下に分けて設置しておき、第１容器１０と第２容器２０とが互に組付けられる瞬間に、上下の構成が連結部材７０によって連結されることで、前記第２吐出手段４０の全体をなす一つの構成が作動可能な状態となる。
【００５５】
前記第２吐出手段４０は、第２容器２０に貯蔵された第２内容物Ｃ２を外部に吐出させる。ここで、前記第２吐出手段４０は、ポンピング作用によって定量的に内容物を外部に吐出させるポンプであることが好ましい。
【００５６】
前記第２吐出手段４０は、図３に示すように、一方の側（下側）に第２内容物吸入口４１ａが形成された筒状の第２ハウジング４１と、前記第２ハウジング４１の第２内容物吸入口４１ａを開閉する皿状ないしカップ状の第２吸入バルブ４２と、前記第２容器２０に貯蔵された第２内容物Ｃ２を第２ハウジング４１内へと導いて吸入可能とする第２吸入管４３と、前記第２ハウジング４１の上部に組付けられて第２ハウジング４１を第２容器２０の一方の側（上部）に固定させる第２ハウジングキャップ４４と、前記第２ハウジング４１の内側に備えられてその中で上下に垂直移動される第２ピストン支持棒４５と、前記第２ピストン支持棒４５の下部の外周面に嵌め付けられるとともに第２ハウジング４１の内周面に密着される第２ピストン４６と、前記第２ピストン支持棒４５の上部に組み付けられる筒状の第２ステム４７と、前記第２ステム４７の外周面に沿って配置されて第２ステム４７を第１上部容器１２の支持板１３の側からを弾力支持するコイル状の第２バネ４８とから構成され得る。
【００５７】
ここで、前記第２吐出手段４０における、第２ハウジング４１と、第２吸入バルブ４２と、第２ハウジングキャップ４４と、第２ピストン支持棒４５と、第２ピストン４６と、第２ステム４７と、第２バネ４８とは、第１容器１０の支持板１３に取り付けられているのに対し、前記第２吐出手段４０の第２吸入管４３は、連結部材７０を介して第２容器２０の内面側に取り付けられる。言い換えれば、前記第２吐出手段４０の第２ハウジング４１は、第１容器１０に取り付けられており、第２吐出手段４０の第２吸入管４３は、連結部材７０に取り付けられて第２容器２０の内部に挿入されているので、第１容器１０と第２容器２０とを互に組付けた際に、前記第２吐出手段４０の第２ハウジング４１と、第２吸入管４３とが、連結部材７０によって自動的に連結される。
【００５８】
一方、前記第１吐出手段３０と第２吐出手段４０とは、それぞれがポンピングする第１、２内容物Ｃ１、Ｃ２の使用比率に応じて、互いに大きさ及び構造が異なりうる。例えば、前記第１吐出手段３０によって吐出される第１内容物Ｃ１を、第２吐出手段４０によって吐出される第２内容物Ｃ１よりも、多く吐出させて混ぜて使用しようとする場合、前記第１吐出手段３０は、ピストンのストローク距離及びシリンダの内径の少なくとも一方を第２吐出手段４０よりも大きく形成しうる。
【００５９】
前記押しボタン５０は、第１容器１０に、上下に移動可能に組付けられ、使用者の押下作動によって押されることで、第１及び第２吐出手段３０、４０を共に作動させる。
【００６０】
下向きのカップ状である前記押しボタン５０の内側には、その天井壁に沿って、上述した第１及び第２吐出手段３０、４０にそれぞれ連結される第１及び第２吐出流路５２ａ、５２ｂが形成され、前記第１及び第２吐出流路５２ａ、５２ｂについての、外部に露出した一方の側の端部には、それぞれ第１及び第２吐出口５４ａ、５４ｂが形成される。
【００６１】
前記押しボタン５０の第１吐出流路５２ａは、第１吐出手段３０の筒状の第１ステム３７と連結されて、前記第１吐出手段３０によってポンピングされる第１内容物Ｃ１を、第１吐出口５４ａに移動させることとなる。また、前記第２吐出流路５２ｂは、第２吐出手段３０の筒状の第２ステム４７と連結されて、前記第２吐出手段４０によってポンピングされる第２内容物Ｃ２を、第２吐出口５２ｂに移動させることとなる。
【００６２】
前記第１及び第２吐出口５４ａ、５４ｂは、図１に示すように、押しボタン５０の外側にて、近接して左右に形成されることが好ましい。すなわち、前記第１吐出口５４ａと第２吐出口５４ｂとが隣り合うようにして並んで配置されることから、前記第１吐出口５４ａから吐出される第１内容物Ｃ１と、第２吐出口５４ｂから吐出される第２内容物Ｃ２とを、容易に混ぜて使用することができるようになる。もちろん、前記第１吐出口５４ａ及び第２吐出口５４ｂの形成位置は、使用性、審美感及び消費者の趣向などを考慮して多様に変更されうる。
【００６３】
図２に示すように、前記押しボタン５０の内側には、第１ないし第３垂直ガイド部５５ａ、５５ｂ、５５ｃが、天井壁から下側へと延長形成されて、第１容器１０の第１ないし第３垂直ガイドバー１５ａ、１５ｂ、１５ｃと組み合わさって、押しボタン５０の上方及び下方への移動を案内することができる。前記第１垂直ガイド部５５ａには、下から見た際に十字状である挿入穴（受入部）５５ｄが形成され、第１垂直ガイドバー１５ａが挿入されるのであり、前記第２及び第３垂直ガイド部５５ｂ、５５ｃは、第２及び第３垂直ガイドバー１５ｂ、１５ｃの挿入空間１５ｄに挿入される。
【００６４】
そして、前記第１容器１０には、携帯または保管の際に押しボタン５０を包み込むようにして保護する容器カバー６０が、さらに組付けられ得る。
【００６５】
図４ないし図８は、本発明の一実施例に係る異種内容物混合容器の組立及び使用を例示した図面であって、これを参照して本発明の一実施例に係る異種内容物混合容器の組立及び使用の過程について説明する。
【００６６】
図４は、本発明の実施例にしたがって、第１容器に第２容器が組付けられる前の形態、ないしは、組付けられようとする際の形態を例示した断面図である。図５は、本発明の実施例にしたがって、第１容器と第２容器が組付けられていく際の形態を例示した断面図である。図６は、本発明の実施例にしたがう、混合容器の第１容器から容器カバーが分離される際の形態を例示した断面図である。図７は、本発明の実施例にしたがう、混合容器の押しボタンが押されて異種の内容物を同時に吐出させる際の形態を示した断面図である。図８は、本発明の実施例にしたがう、混合容器の押しボタンが元の位置へと復元されるとともに第１及び第２吐出手段の内部へと内容物が流入する際の形態を示した断面図である。
【００６７】
まず、本発明の一実施例にしたがう混合容器を組み立てるためには、図示されたように、第１上部容器１２の第１吐出手段設置孔１３ａには、第１ハウジング３１と、第１吸入バルブ３２と、第１吸入管３３と、第１ハウジングキャップ３４と、第１ピストン支持棒３５と、第１ピストン３６と、第１ステム３７及び第１バネ３８から構成された第１吐出手段３０を取り付け、第２吐出手段設置孔１３ｂには、第２吐出手段４０の全構成のうちの、第２ハウジング４１と、第２吸入バルブ４２と、第２ハウジングキャップ４４と、第２ピストン支持棒４５と、第２ピストン４６と、第２ステム４７と、第２バネ４８とによる構成部分を取り付ける。
【００６８】
次に、前記第１上部容器１２に、押しボタン５０を垂直に移動可能に組付けるのであるが、この際に、前記押しボタン５０の第１及び第２吐出流路５２ａ、５２ｂが、第１吐出手段３０の筒状の第１ステム３７と、第２吐出手段４０の筒状の第２ステム４７とに、それぞれ連結されるようにする。また、この際に、前記押しボタン５０の第２及び第３垂直ガイド部５５ｂ、５５ｃが、第１容器１０に形成された第２及び第３垂直ガイドバー１５ｂ、１５ｃの挿入空間１５ｄに挿入され、前記第１容器１０の第１垂直ガイドバー１５ａが押しボタン５０の第１垂直ガイド部５５ａに形成された挿入穴５５ｄに挿入されるようにする。
【００６９】
次に、第１下部容器１４の内容物貯蔵空間１４ｂに、液状またはゲル状の第１内容物Ｃ１を充填し、前記第１下部容器１４の開放された上部に密閉部材１８を挿入した後、前記第１下部容器１４の上部を包み込むようにして第１上部容器１２を組付ける。
【００７０】
この際、前記の第１下部容器１４と密閉部材１８との間には、第１密閉リング１７ａが挟み込まれるのであり、前記の密閉部材１８と第１上部容器１２との間には、密閉板１９が挟み込まれるのであり、また、第１下部容器１４の連結穴１６の内側の上端、すなわち、筒状の区画壁１４ｃの内径が切り替わる段部１４ｄの下面には、第２密閉リング１７ｂが取り付けられる。
【００７１】
次に、前記第２容器２０の内側に、液状またはゲル状の第２内容物Ｃ２を充填した後、前記第２容器２０の筒状の入口部２２の内側に、連結部材７０を挿入して固定する。ここで、前記連結部材７０の筒状の下部連結部７４には、第２吐出手段４０の第２吸入管４３が組付けられている。
【００７２】
次に、図４に示すように、上記のように組み立てられた第１容器１０と第２容器２０をそれぞれ別途に包装する。この際、前記第１容器１０の連結穴１６は、密封（ｓｅａｌｉｎｇ）され、第２容器２０の筒状の入口部２２には、臨時カバー２３が組付けられて、流通または保管の際、前記第１及び第２容器１０、２０の内側に、外部の異物が入り込むのを防止することができる。
【００７３】
一方、上記のように組み立てられた混合容器を使用する際には、図５に示すように、前記第２容器２０の入口部２２を、第１容器１０の下部に形成された連結穴１６に挿入した後に、回転させることでスクリュー結合する。この際、前記第１容器１０の連結穴１６が、第２容器２０の入口部２２の外周面を包み込むようにして組付けられる。また、この際に、前記第２容器２０に組付けられた連結部材７０の上部連結部７２が、第２吐出手段４０における第２ハウジング４１の下部の内側に挿入されることで、第１容器１０と第２容器２０とにそれぞれ分けて設置されていた第２吐出手段４０の構成が連結されて一つになる。これによって、前記第１容器１０に貯蔵された第１内容物Ｃ１と、第２容器２０に貯蔵された第２内容物Ｃ２とが、第１及び第２吐出手段３０、４０を通じて共に吐出されうる状態となる。
【００７４】
その後、図６に示すように、第１容器１０から容器カバー６０を分離し、図７に示すように、押しボタン５０を押して第１吐出手段３０と第２吐出手段４０を同時に作動させることで、第１容器１０に貯蔵されていた第１内容物Ｃ１と、第２容器２０に貯蔵されていた第２内容物Ｃ２とを、共に吐出させ、このように吐出された互いに異なる内容物を混ぜて使用する。
【００７５】
さらに詳細には、第１及び第２吐出手段３０、４０が共に押圧されると、第１及び第２ステム３７、４７と、前記第１及び第２ステム３７、４７の下部に組付けられた第１及び第２ピストン支持棒３５、４５とが下側へと移動する。この際、前記第１及び第２吐出手段３０、４０の第１及び第２ピストン３６、４６は、第１及び第２ハウジング３１、４１の内側面に密着しているため、前記第１、２ピストン支持棒３５、４５だけが下側に移動することで、第１及び第２ピストン支持棒３５、４５と、第１及び第２ピストン３６、４６との間に隙間が発生して、第１及び第２内容物Ｃ１、Ｃ２の吐出通路が生じる。
【００７６】
その後、下側へと移動を続けていた第１及び第２ステム３７、４７の下端が、第１及び第２ピストン３６、４６を押すこととなって、前記第１及び第２ピストン３６、４６が、第１及び第２ピストン支持棒３５、４５と共に、下側へと移動していくので、第１、２ハウジング３１、４１の内部の体積が減って行くようになる。これに伴い、第１及び第２ハウジング３１、４１内の吐出圧力によって、第１及び第２吸入バルブ３２、４２が、第１、２内容物吸入口３１ａ、４１ａを閉鎖させるとともに、第１及び第２ハウジング３１、４１内に収容されていた第１及び第２内容物Ｃ１、Ｃ２が、第１及び第２ピストン支持棒３５、４５と、第１及び第２ピストン３６、４６との間の隙間から抜け出て、第１及び第２ピストン支持棒３５、４５の少なくとも一方の内部、及び／または、第１及び第２ピストン支持棒３５、４５と第１及び第２ステム３７、４７または第１及び第２ピストン３６、４６との間の隙間を通過し、さらに、第１及び第２吐出流路５２ａ、５２ｂを通過して、第１及び第２吐出口５４ａ、５４ｂへと吐出される。
【００７７】
その後、図８に示すように、前記押しボタン５０への押圧を解除すると、第１及び第２ステム３７、４７を弾力支持する第１及び第２バネ３８、４８の弾性によって、前記第１及び第２ステム３７、４７と、前記第１及び第２ステム３７、４７の下側に組付けられた第１及び第２ピストン支持棒３５、４５が、上側へと移動することとなる。この際、前記第１及び第２ピストン支持棒３５、４５の下端部をなす下向きカップ状の大径部３５ａ、４５ａが、第１及び第２ピストン３６、４６を上方へと引き上げることで、第１及び第２ピストン支持棒３５、４５と第１及び第２ピストン３６、４６との間の隙間が塞がるとともに、前記第１及び第２ピストン支持棒３５、４５と第１及び第２ピストン３６、４６が共に上側へと移動することとなる。
【００７８】
これによって、第１及び第２ハウジング３１、４１の内部における第１及び第２ピストン３６、４６より下方の部分の体積が大きくなることで真空圧が発生するのであり、このような真空圧によって、第１及び第２吸入バルブ３２、４２が持ち上がることで、第１及び第２内容物吸入口３１ａ、４１ａが開放されて、第１、２容器１０、２０内に貯蔵されている第１及び第２内容物Ｃ１、Ｃ２が第１及び第２ハウジング３１、４１の内部へと流入する。
【００７９】
その後、上記のように共に吐出された異種の第１及び第２内容物Ｃ１、Ｃ２を混ぜて使用する。
【００８０】
以上のように本説明では具体的な構成要素などのような特定の事項と限定された実施例及び図面によって説明されたが、これは本発明のより全般的な理解を助けるために提供されたものに過ぎず、本発明は上記の実施例に限定されるものではなく、本発明が属する分野で通常の知識を有する者であれば、かかる記載から多様な修正及び変形が可能である。
【００８１】
したがって、本発明の思想は説明された実施例に局限して定められてはならず、後述する請求の範囲だけでなく、本請求の範囲と均等か等価的な変形を伴うすべては本発明の思想の範疇に属するといえる。
【符号の説明】
【００８２】
１０  第１容器
１２  第１上部容器
１３  支持板
１４  第１下部容器
１６  連結穴
２０  第２容器
２２  入口部
３０  第１吐出手段
４０  第２吐出手段
５０  押しボタン
５２ａ  第１吐出流路
５２ｂ  第２吐出流路
５４ａ  第１吐出口
５４ｂ  第２吐出口
６０  容器カバー
７０  連結部材
Ｃ１  第１内容物
Ｃ２  第２内容物
【図１】
2020163146.tif 000003
【図２】
2020163146.tif 000004
【図３】
2020163146.tif 000005
【図４】
2020163146.tif 000006
【図５】
2020163146.tif 000007
【図６】
2020163146.tif 000008
【図７】
2020163146.tif 000009
【図８】
2020163146.tif 000010